【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
撮像装置と、ネットワークを介して接続された外部の画像処理装置と、を有する画像処理システムであって、
前記撮像装置は、
撮像素子から読み出したＲＡＷ画像データを現像し、第１の現像画像データを生成する第１の現像手段と、
前記第１の現像画像データを記録する記録手段と、
前記ＲＡＷ画像データを、前記画像処理装置に送信する画像データ送信手段と、
画像を表示する表示手段と、を備え、
前記画像処理装置は、
前記撮像装置から、前記ＲＡＷ画像データを受信する画像データ受信手段と、
前記画像データ受信手段が受信したＲＡＷ画像データを現像し、第２の現像画像データを生成する第２の現像手段と、
前記第２の現像画像データに対するアクセス情報を前記撮像装置に送信するアクセス情報送信手段とを有し、
前記表示手段は、
前記画像処理装置から受信したアクセス情報に基づいて、前記撮像装置内の前記第１の現像画像データ又は前記画像処理装置内の前記第２の現像画像データを再生表示することを特徴とする画像処理システム。
【請求項２】
前記表示手段は、
前記アクセス情報に基づき、前記第２の現像画像データを前記画像処理装置より受信し、受信した第２の現像画像データを表示することを特徴とする請求項１に記載の画像処理システム。
【請求項３】
前記表示手段は、前記第２の現像画像データをストリーミング再生して表示することを特徴とする請求項１または２に記載の画像処理システム。
【請求項４】
前記表示手段は、
前記ＲＡＷ画像データが動画データであって前記第１の現像画像データの表示中に前記アクセス情報を受信した場合、前記第２の画像データに切り替えて表示することを特徴とする請求項１〜３の何れか１項に記載の画像処理システム。
【請求項５】
前記表示手段は、
前記アクセス情報の受信が完了している場合に、前記第２の現像画像データを表示することを特徴とする請求項４に記載の画像処理システム。
【請求項６】
前記表示手段は、
前記第１の現像画像データを表示中に、前記第２の現像画像データに対する前記アクセス情報を受信した場合には、前記第２の現像画像データを表示するよう切り替えることを特徴とする請求項４に記載の画像処理システム。
【請求項７】
前記表示手段は、
前記画像処理装置との間のデータの通信状況に応じて、前記第１の現像画像データか、前記第２の現像画像データかの何れかを表示することを特徴とする請求項４に記載の画像処理システム。
【請求項８】
前記第１の現像手段は、前記第２の現像手段に比べて、簡易的な構成であることを特徴とする請求項１〜７の何れか１項に記載の画像処理システム。
【請求項９】
前記表示手段は、
前記アクセス情報の受信状況を表示することを特徴とする請求項１〜８の何れか１項に記載の画像処理システム。
【請求項１０】
前記第２の現像手段は、複数の前記第２の現像画像データを生成し、
前記アクセス情報送信手段は、前記複数の第２の現像画像データのそれぞれに対する複数のアクセス情報を、前記撮像装置に送信することを特徴とする請求項１〜９の何れか１項に記載の画像処理システム。
【請求項１１】
外部の画像処理装置とネットワークを介して通信する撮像装置であって、
撮像素子から読み出したＲＡＷ画像データを現像し、第１の現像画像データを生成する第１の現像手段と、
前記第１の現像画像データを記録する記録手段と、
前記ＲＡＷ画像データを、前記外部の画像処理装置に送信する画像データ送信手段と、
前記画像処理装置によって前記ＲＡＷ画像データが現像されて得られた第２の現像画像データにアクセスするためのアクセス情報を受信する受信手段と、
画像を表示する表示手段と、を備え、
前記表示手段は、
前記画像処理装置から受信したアクセス情報に基づいて、前記第１の現像画像データ又は前記第２の現像画像データを再生表示することを特徴とする撮像装置。
【請求項１２】
外部の画像処理装置とネットワークを介して通信する撮像装置の制御方法であって、
撮像素子から読み出したＲＡＷ画像データを現像し、第１の現像画像データを生成する第１の現像工程と、
前記第１の現像画像データを記録する記録工程と、
前記ＲＡＷ画像データを、前記外部の画像処理装置に送信する画像データ送信工程と、
前記画像処理装置によって前記ＲＡＷ画像データが現像されて得られた第２の現像画像データにアクセスするためのアクセス情報を受信する受信工程と、
前記画像処理装置から受信したアクセス情報に基づいて、表示装置に前記第１の現像画像データ又は前記第２の現像画像データを再生表示する表示工程と、
を有することを特徴とする撮像装置の制御方法。
【請求項１３】
撮像装置と、ネットワークを介して接続された外部の画像処理装置と、を有する画像処理システムの制御方法であって、
前記撮像装置において、撮像素子から読み出したＲＡＷ画像データを現像し、第１の現像画像データを生成する第１の現像工程と、
前記第１の現像画像データを記録する記録工程と、
前記ＲＡＷ画像データを、前記画像処理装置に送信する画像データ送信工程と、
前記画像処理装置において、前記送信されたＲＡＷ画像データを現像し、第２の現像画像データを生成する第２の現像工程と、
前記第２の現像画像データに対するアクセス情報を前記撮像装置に送信するアクセス情報送信工程と、
前記画像処理装置から受信したアクセス情報に基づいて、前記撮像装置の表示手段へ画像の再生表示を行う表示工程と、
を有することを特徴とする画像処理システムの制御方法。
【請求項１４】
請求項１３に記載の各工程をコンピュータによって実行させるためのコンピュータプログラム。
【請求項１５】
請求項１４に記載のプログラムを記憶したことを特徴とするコンピュータ読み取り可能な記憶媒体。
【請求項１６】
前記アクセス情報送信手段は、前記第２の現像手段による現像処理が完了したときに、前記第２の画像データに対するアクセス情報を送信することを特徴とする請求項１〜１０の何れか１項に記載の画像処理システム。
【請求項１７】
前記アクセス情報送信工程では、前記第２の現像工程が完了したときに、前記第２の画像データに対するアクセス情報を送信することを特徴とする請求項１３に記載の画像処理システムの制御方法。
【手続補正２】
【補正対象書類名】明細書
【補正対象項目名】発明の名称
【補正方法】変更
【補正の内容】
【発明の名称】画像処理システム、撮像装置及びその制御方法
【手続補正３】
【補正対象書類名】明細書
【補正対象項目名】０００１
【補正方法】変更
【補正の内容】
【０００１】
本発明は画像処理システム及びその制御方法、撮像装置及びその制御方法、プログラム及び記憶媒体に関し、特に、画像サーバから画像データに対するアクセス情報を受信することができる撮像装置を用いた画像処理システムに好適な技術に関するものである。
【手続補正４】
【補正対象書類名】明細書
【補正対象項目名】０００５
【補正方法】変更
【補正の内容】
【０００５】
本発明は前述の問題点に鑑み、カメラと画像処理装置間の通信量を低減させることができるようにすることを目的とする。また、カメラ側で必要とされる画像記憶容量を低減させることを目的とする。
【手続補正５】
【補正対象書類名】明細書
【補正対象項目名】０００６
【補正方法】変更
【補正の内容】
【０００６】
本発明の画像処理システムは、撮像装置と、ネットワークを介して接続された外部の画像処理装置と、を有する画像処理システムであって、前記撮像装置は、撮像素子から読み出したＲＡＷ画像データを現像し、第１の現像画像データを生成する第１の現像手段と、前記第１の現像画像データを記録する記録手段と、前記ＲＡＷ画像データを、前記画像処理装置に送信する画像データ送信手段と、画像を表示する表示手段と、を備え、前記画像処理装置は、前記撮像装置から、前記ＲＡＷ画像データを受信する画像データ受信手段と、前記画像データ受信手段が受信したＲＡＷ画像データを現像し、第２の現像画像データを生成する第２の現像手段と、前記第２の現像画像データに対するアクセス情報を前記撮像装置に送信するアクセス情報送信手段とを有し、前記表示手段は、前記画像処理装置から受信したアクセス情報に基づいて、前記撮像装置内の前記第１の現像画像データ又は前記画像処理装置内の前記第２の現像画像データを再生表示することを特徴とする。
【手続補正６】
【補正対象書類名】明細書
【補正対象項目名】０００７
【補正方法】変更
【補正の内容】
【０００７】
本発明によれば、カメラと画像処理装置間の通信量を低減させることができる。また、カメラ側で必要とされる画像記憶容量を低減させることができる。